(57)【要約】  【課題】  薄く小型化できるとともに、部品点数及び製作工数の低減でコストダウンを図りやすいものでありながらも、所定の水分測定性能を確保できるようにする。  【解決手段】  絶縁性基板１の表裏両面のうち一方の面１ａ側に静電容量センサ用電極２が形成されているとともに、他方の面１ｂ側に測定増幅回路３が形成され、これら静電容量センサ用電極２と測定増幅回路３とを絶縁性基板１の表裏方向に貫通して設けられた導電部材５を介して電気的に接続してモノリシックな一体化構造に構成している。  【選択図】      図１
2005287547.tif 000002
【特許請求の範囲】
【請求項１】
絶縁性基板の表裏両面のうち一方の面側に化学量及び／又は物理量のセンシング部が形成されているとともに、他方の面側に測定増幅回路が形成され、これら化学量及び／又は物理量のセンシング部と測定増幅回路とが前記絶縁性基板の表裏方向に貫通して設けられた導電部材を介して電気的に接続されていることを特徴とする接触式センサ。
【請求項２】
絶縁性基板の表裏両面のうち一方の面側に静電容量センシング部が形成されているとともに、他方の面側に測定増幅回路が形成され、これら静電容量センシング部と測定増幅回路とが前記絶縁性基板の表裏方向に貫通して設けられた導電部材を介して電気的に接続されていることを特徴とする接触式センサ。
【請求項３】
絶縁性基板がシリコンウエハまたはプラスチックフィルムから構成されている請求項１または２に記載の接触式センサ。
【請求項４】
測定増幅回路にはプリント基板が接続され、絶縁性基板の側面部及び前記測定増幅回路とプリント基板との接続部の外周部は絶縁樹脂材料で封止されている請求項１〜３のいずれかに記載の接触式センサ。
【請求項５】
化学量及び／又は物理量のセンシング部または静電容量センシング部及び測定増幅回路が作製された絶縁性基板が、演算部・表示部などを有する測定装置本体回路部まで一体に延設されている請求項１〜４のいずれかに記載の接触式センサ。
【請求項６】
手袋の指先部またはその指先部に被冠装着可能なサック状薄膜部材の先端の外面に生理医学的パラメータを測定する接触式センサが取り付けられているとともに、その接触式センサによる測定データを送信するデータ送信手段及びその送信データを演算処理して測定結果を表示する表示手段が別個に設けられていることを特徴とする接触式センサ実装の計測システム。
【請求項７】
表示手段が手袋装着者の手首の回転に対して動きの少ない部分または手首の回転に関係ない部分に装着可能に構成されている請求項６に記載の接触式センサ実装の計測システム。
【請求項８】
サック状薄膜部材には、手袋の指先部への被冠装着状態からの脱落防止リングが取り付けられている請求項６または７に記載の接触式センサ実装の計測システム。
【発明の詳細な説明】
【技術分野】
【０００１】
本発明は、例えば上顎部や舌等の口腔内の水分を測定して健康状態の判定や歯のう蝕罹患リスクの評価等を行なう口腔内水分計や、口腔内に差し入れて歯や皮膚などのｐＨを測定するｐＨセンサ、あるいは、人体皮膚の水分量を測定して皮膚の湿潤度や皮膚炎の症状等を計測する皮膚水分計などに使用される接触式センサ及びその接触式センサを用いて人体各部位の生理医学的な各種パラメータを測定し表示すべく構成してなる接触式センサ実装の計測システムに関する。
【背景技術】
【０００２】
この種の接触式センサとして、従来、セラミック基板の表面上にくし形の静電容量センサ用電極を形成する一方、これとは別個にセラミック基板の表面側に測定増幅回路を形成し、それら二枚のセラミック基板を貼り合わせてなる積層構造の水分測定用の接触式センサが一般的に知られている（例えば、特許文献１参照）。
【０００３】
また、接触式センサ実装の計測システムとして、従来、診察者の指に装着可能なゴム手袋の指腹部分に接触式センサとして複数の線状歪ゲージを並設し、ゴム手袋を装着した診察者の指先を被験者の腕等の橈骨動脈に沿って押圧することにより脈診を行えるようにした脈波計測システムが知られている（例えば、特許文献２参照）。
【特許文献１】特開２０００−２６６７７７号公報
【特許文献２】特開平６−１９７８７３号公報
【発明の開示】
【発明が解決しようとする課題】
【０００４】
しかし、上記した従来の接触式センサにおいては、二枚のセラミック基板の表面に電極及び測定増幅回路を精度よく形成するために個々の基板それぞれが歪んだり変形しないような必要最低限の剛性を確保し、かつ、センサ容量に対して回路の影響がないようにしなければならないために、各基板の薄肉化には自ずと限界がある。それゆえに、二枚の基板を貼り合わせた積層構造の従来の接触式センサは、全体厚みが大きくて大型化しやすい。したがって、特に、狭隘な口腔内に差し入れて用いられる口腔内水分計等の接触式センサとしては実用上好ましくない。また、二枚の基板を準備し、それら二枚の基板それぞれに対して個別に電極及び測定増幅回路を形成し、かつ、それらの形成後に二枚の基板を貼り合わせるといった具合に、多くの部品点数、製作工数を必要としてコストアップの原因となり、衛生面や感染症予防等の見地から望まれる使い捨て使用の実用化が困難になるという問題があった。
【０００５】
また、上記した従来の接触式センサ実装の計測システムは、専ら脈波の診断に特化されたものであって、口腔内の水分測定やｐＨ測定など生理医学的な各種パラメータの測定及びその測定結果に基づく健康状態の判定や歯のう蝕罹患リスクの評価等といった総合的診察に応用することができないものであった。
【０００６】
本発明は上記のような実情に鑑みてなされたもので、その目的は、薄くて小型化できるとともに、部品点数及び製作工数の低減によりコストダウンを図りやすいものでありながらも、所定の測定性能を確保することができる接触式センサと、シンプルな構成の接触式センサを用いながら、人の指先が持つ鋭い感覚を利用して生理医学的な各種パラメータを迅速かつ精度よく測定し総合的診察を容易に実現することができる接触式センサ実装の計測システムを提供することにある。
【課題を解決するための手段】
【０００７】
上記目的を達成するために、本発明の請求項１(以下、第１発明という)に係る接触式センサは、絶縁性基板の表裏両面のうち一方の面側に化学量及び／又は物理量のセンシング部が形成されているとともに、他方の面側に測定増幅回路が形成され、これら化学量及び／又は物理量のセンシング部と測定増幅回路とが前記絶縁性基板の表裏方向に貫通して設けられた導電部材を介して電気的に接続されていることを特徴としている。
【０００８】
また、本発明の請求項２(以下、第２発明という) に係る接触式センサは、絶縁性基板の表裏両面のうち一方の面側に静電容量センシング部が形成されているとともに、他方の面側に測定増幅回路が形成され、これら静電容量センシング部と測定増幅回路とが前記絶縁性基板の表裏方向に貫通して設けられた導電部材を介して電気的に接続されていることを特徴としている。
【０００９】
さらに、本発明の請求項６(以下、第３発明という)に係る接触式センサ実装の計測システムは、手袋の指先部またはその指先部に被冠装着可能なサック状薄膜部材の先端の外面に生理医学的パラメータを測定する接触式センサが取り付けられているとともに、その接触式センサによる測定データを送信するデータ送信手段及びその送信データを演算処理して測定結果を表示する表示手段が別個に設けられていることを特徴としている。
【発明の効果】
【００１０】
上記のような特徴構成を有する第１，第２発明の接触式センサは、一枚の絶縁性基板の表裏両面に化学量及び／又は物理量のセンシング部または静電容量センシング部と測定増幅回路が形成されたモノリシックな一体化構造とされているので、センシング部及び測定増幅回路の形成時に必要な剛性並びにセンサ容量に対して回路の影響がない厚さの一枚の基板を用いてセンシング部及び測定増幅回路を精度よく形成して所定どおりの測定性能を確保できるものでありながらも、センサ全体の厚みは薄くして小型化を図ることができて、特に、口腔内水分測定やｐＨ測定用センサとして有効に使用することができる。しかも、モノリシックな一体化構造とすることで、部品点数及び製作工数を低減してコストダウンを図りやすく、衛生面や感染症予防等の見地から望まれる使い捨て使用の実用化を促進することができるという効果を奏する。
【００１１】
また、上記のような特徴構成を有する第３発明の接触式センサ実装の計測システムによれば、医師などの診察者あるいは被験者が装着した手袋の指先部またはその手袋の指先部に被冠装着したサック状薄膜部材の先端に接触式センサが取り付けられているので、人の指先が本来持っている鋭い感覚を巧みに利用してセンサを適正圧力、適正角度で被験者の測定部位に押し当てることができる。したがって、センサを適正圧力、適正角度で測定部位に押し当てるようにするために別個に圧力センサ等を付設する必要がなく、接触式センサの構造をシンプルかつ小型化、低コスト化しやすいものとしながら、水分やｐＨなど生理医学的な各種パラメータを迅速手軽かつ精度よく測定することができるだけでなく、その生理医学的な各種パラメータの測定結果に基づいて健康状態の判定や歯のう蝕罹患リスクの評価等といった総合的診察を容易に実現することができる。加えて、手袋の使用によって感染症の予防効果がある上に、接触式センサ自体もシンプルかつ低コストであるから、衛生面や感染症予防等の見地から望まれるセンサ及び手袋の使い捨て使用を実現しやすいという効果を奏する。
【００１２】
前記第１,第２発明の接触式センサにおける絶縁性基板として、請求項３に記載のように、シリコンウエハまたはプラスチックフィルムを使用することが望ましい。シリコンウエハを使用する場合は、その片面に例えばリンを打ち込んでＮ型半導体領域を作り、その内部にＣＭＯＳ技術でリングオシレータ等の測定増幅回路をシリコンウエハの厚さ範囲に作り込むことが可能であり、センサ厚みを一層薄くできる。また、センシング部と測定増幅回路との電気的な接続のための導電部材の設置に必要な貫通孔（コンタクトホール）の形成にエッチング技術を駆使することが可能であり、センサの製作効率の向上を図り、製作コストを一層低減することができる。一方、プラスチックフィルムを使用する場合は、その片面に有機高分子薄膜印刷技術等を用いて測定増幅回路を容易かつ高精度に形成することが可能であり、センサの製作効率を高めコストダウンを図ることができる。特に、プラスチックに形状記憶ポリマーを用いる場合は、予め測定部位の曲面に合わせた形状に成形して記憶させておき、一旦、平坦に伸ばして電極及び測定増幅回路を形成した後、元の記憶形状に戻すことによって、例えば口腔内上顎部等のような複雑な曲率を有する測定部位に対するフィット性に優れ、水分測定など所定の測定性能の一層の向上が図れるセンサを得ることができる。
【００１３】
また、前記第１,第２発明の接触式センサにおいて、請求項４に記載のように、測定増幅回路にプリント基板が接続され、絶縁性基板の側面部及び前記測定増幅回路とプリント基板との接続部の外周部を絶縁樹脂材料で封止（モールド）する構成とすることにより、化学物理量センサまたはセンサ用電極と測定増幅回路を接続する導電部材の浮遊容量が温度や湿度など周囲の環境によって変動することを抑えて測定性能を高めることができるとともに、センサ角部が測定部位やその周辺に当接することによる違和感や痛みを少なくすることができる。
【００１４】
さらに、前記第１,第２発明の接触式センサにおいて、請求項５に記載のように、化学量及び／又は物理量のセンシング部あるいは静電容量センシング部及び測定増幅回路が形成された絶縁性基板を、演算部・表示部などを有する測定装置本体回路部まで一体に延設する構成を採用することにより、薄いセンサ部と本体回路部とを介してシート状に一体化して水分計等の測定器全体の小型化及び低コスト化を達成でき、例えば口腔内上顎部等のような曲線の多い測定部位に対するフィット性に優れ、測定精度の向上が図れるばかりでなく、経済性からも使い捨て使用が可能となり、使いまわしによる不衛生さの解消及び感染症の予防効果等が得られる。
【００１５】
また、前記第３発明の接触式センサ実装の計測システムにける表示手段としては、接触式センサが取り付けられた手袋と隔離させた、例えば診察机上等に設置可能な卓上型とし、接触式センサによる測定データを無線式のデータ送信手段を用いてその卓上型表示手段に送信可能としてもよいが、請求項７に記載のように、表示手段を手袋装着者の手首の回転に対して動きの少ない部分または手首の回転に関係ない部分に装着可能に構成することにより、診察者あるいは被験者が接触式センサを測定部位に押し当てて生理医学的な各種パラメータの測定を行っている態勢のままで、その測定結果を即座に読み取って把握することが可能であり、したがって、所定の診断を効率よく行なうことができる。
【００１６】
さらに、前記第３発明の接触式センサ実装の計測システムにおいて、手袋の指先部にサック状薄膜部材を被冠装着して用いる場合、請求項８に記載のように、そのサック状薄膜部材に、手袋の指先部への被冠装着状態からの脱落防止リングを取り付けておくことにより、例えば口腔内の水分測定時等にサック状薄膜部材が手袋から脱落して被験者が呑み込むなどの不測事態の発生を防止し、測定の安全性確保を図ることができる。
【発明を実施するための最良の形態】
【００１７】
以下、本発明の実施の形態を、図面を参照しながら説明する。
図１は第１，第２発明の接触式センサの第１実施例として、口腔内水分計に使用される水分測定用センサＡの断面構造図であり、この水分測定用センサＡは、絶縁性基板の一例であるシリコンウエハ１の表裏両面のうち一方の面１ａ上に、静電容量センシング部として、くし型の静電容量センサ用電極２が形成されているとともに、他方の面１ｂ側に測定増幅回路３が形成され、これらセンサ用電極２と測定増幅回路３とが、前記シリコンウエハ１をその表裏方向に貫通するコンタクトホール４内に形成されたアルミ配線（導電部材となる）５を介して電気的に接続され、かつ、測定増幅回路３にハンダパンプ６によりプリント基板７が接続され、シリコンウエハ１の側面部及び測定増幅回路３とプリント基板７との接続部の外周部を絶縁樹脂材料８で封止（モールド）して構成されている。
【００１８】
図２の（ａ）〜（ｆ）は、図１に示す構成の水分測定用センサＡの製作プロセスの概要を示すものであり、以下、その製作プロセスを順記する。
（ａ）シリコンウエハ（比誘電率ε＝１２程度のものを用いる）１の一方の面１ａ上にＳｉＯ2 膜９を成膜する。このとき、センサ用電極２と測定増幅回路３とのコンタクト部分１ｃにはＳｉＯ2 膜を成膜しない。なお、ＳｉＯ2 膜の成膜に代えて、ＳｉＯ2 基板を使用し、センサ用電極２(図１参照)と測定増幅回路３とのコンタクト部分のＳｉＯ2 を切除してもよい。
（ｂ）ＳｉＯ2 膜９が成膜されていないコンタクト部分１ｃからシリコンウエハ１にボロン等を打ち込んでセンサ用電極２(図１参照)と測定増幅回路３とのコンタクト部分１ｃに対応するシリコンウエハ１部分にＰ+領域１０を作製する。
（ｃ）シリコンウエハ１の他方の面１ｂ側に、例えばリンを打ち込んでＮ型半導体領域１１を作り、そのＮ型半導体領域１１の内部にＣＭＯＳ技術により測定増幅回路３を作り込む。その測定増幅回路３としては、図３の（ａ）に示すような構成のリングオシレータ等の自励式発振回路であっても、図３の（ｂ）に示すようにバッファアンプとＲＣ分圧回路やＬＣ共振回路などの他励式測定回路のいずれの測定方式を用いてもよい。
【００１９】
（ｄ）測定増幅回路３側のシリコンウエハ面１ｂに保護膜１２を形成する。このとき、測定増幅回路３とセンサ用電極２とのコンタクト部分１ｄには保護膜を形成しないで、そのコンタクト部分１ｄに対応するシリコンウエハ１部分を、例えばＫＯＨを用いて前述したＰ+領域１０に達するまでエッチングすることにより、シリコンウエハ１にコンタクトホール４を形成する。
（ｅ）シリコンウエハ１のコンタクト部分１ｄからコンタクトホール４にボロンを打ち込んでホール内周のエッチング面にアルミが蒸着しやすくなるようなＰ+領域１３を作製する。また、ＳｉＯ2 膜９上にＣｒ＋Ａｕをスパッタメッキして、くし型の静電容量センサ用電極２を作製する。
（ｆ）保護膜１２(図２の(d)参照)を剥がし、アルミ配線パターンを作りコンタクトホール４及びシリコンウエハ１の回路側の面１ｂにアルミ蒸着することにより、静電容量センサ用電極２と測定増幅回路３とを電気的に接続するアルミ配線５を作製する。また、くし型静電容量センサ用電極２上面の全域にＰＭＭＡ（ポリメチルメタクリレート）の保護膜１４を被覆形成する。
【００２０】
その後、測定増幅回路３にハンダパンプ６によりプリント基板７を接続し、シリコンウエハ１の側面部及び測定増幅回路３とプリント基板７との接続部の外周部を絶縁樹脂材料８で封止（モールド）することにより、図１に示すような水分測定用センサＡの製作を完了する。
【００２１】
上述したようなプロセスを経て製作された第１実施例による水分測定用センサＡは、一枚のシリコンウエハ１の表裏両面に静電容量センサ用電極２と測定増幅回路３とが形成されたモノリシックな一体化構造であるので、電極２及び測定増幅回路３の形成時にはシリコンウエハ１により必要な剛性が保たれ、かつ、センサ容量に対して回路の影響がないために、それら電極２及び測定増幅回路３を精度よく形成して所定どおりの水分測定性能を確保できる。それでいて、センサＡ全体の厚みは薄くて小型化となり、特に、口腔内水分測定用センサとして有効に使用することができる。加えて、モノリシックな一体化構造とすることで、部品点数及び製作工数の低減が図れてコストダウンを実現でき、衛生面や感染症予防等から望まれる使い捨てセンサの実用化の促進に寄与することができる。
【００２２】
さらに、絶縁性基板としてシリコンウエハ１を使用しているので、前述したとおり、一方の面１ｂに例えばリンを打ち込んでＮ型半導体領域を作り、その内部にＣＭＯＳ技術でリングオシレータ等の測定増幅回路３を作り込むことが可能であり、センサ厚みを一層薄くできる。また、静電容量センサ用電極２と測定増幅回路３との電気的な接続のためのアルミ配線５の形成に必要なコンタクトホール４をエッチング技術を駆使して形成することが可能であり、センサＡの製作効率の向上を図ることができる。
【００２３】
図４は第１，第２発明の接触式センサの第２実施例として、口腔内水分計に使用される水分測定用センサＢの断面構造図であり、この水分測定用センサＢは、絶縁性基板として厚さが数１００μｍ程度で可撓性のある高絶縁プラスチックフィルム１’を使用し、この高絶縁プラスチックフィルム１’の表裏両面のうち一方の面１ａ’上に、静電容量センシング部として、くし型の静電容量センサ用電極２が形成されているとともに、他方の面１ｂ’上に測定増幅回路３が形成され、これら静電容量センサ用電極２と測定増幅回路３とが、前記プラスチックフィルム１’をその表裏方向に貫通するコンタクトホール４内に詰め込まれた導電部材５’を介して電気的に接続された構成である。なお、この第２実施例の水分測定用センサＢにおいても、第１実施例のものと同様に、測定増幅回路３にハンダパンプによりプリント基板を接続し、プラスチックフィルム１’の側面部及び測定増幅回路３とプリント基板との接続部の外周部を絶縁樹脂材料で封止（モールド）して構成してもよいこともちろんであるが、それについての図示は省略する。
【００２４】
図５の（ａ）〜（ｅ）は、図４に示す構成の水分測定用センサＢの製作プロセスの概要を示すものであり、以下、その製作プロセスを順記する。
（ａ）高絶縁プラスチックフィルム１’の長手方向両側にコンタクトホール４を穿孔形成する。なお、プラスチックフィルム１’は１００℃以下で熱可塑性を有し、かつ、吸湿性の低いことが望ましい。
（ｂ）高絶縁プラスチックフィルム１’の一方の面１ａ’上に、Ａｕ等の金属を蒸着メッキする、あるいは、導電性高分子材料をプリントして、くし型の静電容量センサ用電極２を作製する。
（ｃ）高絶縁プラスチックフィルム１’の他方の面１ｂ’上に、有機高分子薄膜印刷技術等により測定増幅回路３を形成する。この測定増幅回路３は、第１実施例と同様に、図３の（ａ）に示すような構成のリングオシレータ等の自励式発振回路であっても、図３の（ｂ）に示すようにバッファアンプとＲＣ分圧回路やＬＣ共振回路などの他励式測定回路のいずれの測定方式を用いてもよい。
【００２５】
（ｄ）高絶縁プラスチックフィルム１’に形成したコンタクトホール４内に有機導電性材料を詰め込んで測定増幅回路３とセンサ用電極２とを電気的に接続する導電部材５’を作製する。
（ｅ）くし型静電容量センサ用電極２上の全域にＰＭＭＡ（ポリメチルメタクリレート）の保護膜１４を被覆形成する。
【００２６】
以上のプロセスを経て製作された第２実施例による水分測定用センサＢは、一枚の高絶縁プラスチックフィルム１’の表裏両面に静電容量センサ用電極２と測定増幅回路３とが作製されたモノリシックな一体化構造であるので、第１実施例の水分測定用センサＡと同様に、電極２及び測定増幅回路３をそれぞれ精度よく形成して所定どおりの水分測定性能を確保できるものでありながら、センサＢ全体の厚みを薄くして小型化が可能であり、特に、口腔内水分測定用センサとして有効に使用することができる。加えて、モノリシックな一体化構造とすることで、部品点数及び製作工数の低減が図れてコストダウンを実現でき、衛生面や感染症予防等から望まれる使い捨てセンサの実用化の促進に寄与することができる。
【００２７】
また、絶縁性基板としてプラスチックフィルム１’を使用しているので、前述したとおり、有機高分子薄膜印刷技術等を用いて測定増幅回路３を容易かつ高精度に形成することが可能であり、センサの製作効率を高めコストダウンを図ることができるとともに、高性能、高品質のセンサＢを得ることができる。
【００２８】
図６は第２実施例の水分測定用センサＢの適用製品の一例であって、センサ部Ｂにおける測定増幅回路３の表面を適当な保護膜（図示省略）で被覆したうえ、水分測定時に測定部位への押し圧を測定するためのシート状圧力センサ１５を重ね合わせる一方、絶縁用基板であるプラスチックフィルム１’を一側方へ一体に延設し、その延設されたプラスチックフィルム１’の他端部側に演算部、測定知表示部等からなる測定装置本体回路部１６を作製し、この測定装置本体回路部１６と測定増幅回路３とをプラスチックフィルム１’上に印刷した配線パターンを介して接続して口腔内水分計Ｃを構成したものである。
【００２９】
このように構成された口腔内水分計Ｃは、上述のとおり、薄いセンサ部Ｂと本体回路部１６とを可撓性のあるプラスチックフィルム１’を介してシート状に一体化して製作することが可能で、口腔内水分計Ｃ全体の小型化及び低コスト化を達成できる。したがって、例えば上顎部等のような曲線の多い測定部位に対するフィット性に優れ、測定精度の向上が図れるばかりでなく、経済性からも使い捨てが可能となるため、使いまわしによる不衛生さの解消及び感染症の予防効果等が得られる。
【００３０】
図７及び図８は第２実施例の水分測定用センサＢの適用製品の他の例であって、絶縁用基板であるプラスチックフィルム１’裏面でセンサ部Ｂに対応する箇所にセンサ駆動増幅部１７を、かつ、センサ部Ｂから一側方へ一体に延設されたプラスチックフィルム１’の他端部側の表裏面に演算処理部１８、測定値表示部１９、及び給電・通信アンテナ付きＩＣチップからなる外部インターフェイス回路２０をそれぞれ、有機膜回路印刷技術で形成するとともに、それら各部Ｂ，１８，１９及び回路２０をプラスチックフィルム１’への導電膜パターン印刷により電気的に接続し、さらに、前記センサ駆動増幅部１７、演算処理部１８及び外部インターフェイス回路２０を保護する保護膜２１をプラスチックフィルム１’の裏面側に被覆形成して口腔内水分計Ｃを構成したものである。なお、第一実施例の水分測定用センサＡの適用製品として、図７及び図８に示す構成を採用してもよいこともちろんである。
【００３１】
このように構成された口腔内水分計Ｃは、図６に示すものと同様に、小型化及び優れた測定精度を有するものでありながらも、有機膜回路印刷技術の応用によって非常に低コストに製作でき、使い捨て使用による衛生効果及び感染症予防効果の促進に寄与することができる。
【００３２】
また、図６や図７，図８に示す口腔内水分計Ｃと同様な着想を、例えば口腔内が虫歯にかかりやすい状態にあるか否かを判断するためのｐＨセンシングシステムやイオン濃度センシングシステムなどに応用することにより、それらシステム全体を安価に構成して、使い捨て使用を可能とすることができる。
【００３３】
また、絶縁性基板としてのプラスチックフィルム１’に形状記憶ポリマーを用いて、予め測定部位の曲面に合わせた形状に成形し記憶させておき、一旦、平坦に伸ばして電極２及び測定増幅回路３を形成した後、元の記憶形状に戻すことによって、口腔内上顎部のような複雑な曲率を有する測定部位に対するフィット性を高め、所定の水分測定性能の一層の向上を達成可能なセンサを得ることができる。
【００３４】
さらに、上記第１、第２実施例では、口腔内水分計に使用される水分測定用センサについて説明したが、人体皮膚の水分量を測定して皮膚の湿潤度や皮膚炎の症状等を計測する皮膚水分計やｐＨなど化学量もしくは物理量または化学物理量の計測に使用される接触式センサに適用してもよいこともちろんである。
【００３５】
図９及び図１０は第３発明の接触式センサ実装の計測システムの第１実施例としての口腔内水分計測システムＳ１の側面図及び平面図であり、この口腔内水分計測システムＳ１は、医師や看護師などの診察者あるいは被験者自身が装着する手袋２２の指先部（図面上では人差し指で示すが、中指であってもよい）２２ａの先端の外面（背腹面）に生理医学的パラメータの一つである口腔内水分を測定する接触式センサ２３が接着等により手袋２２から外れないように取り付けられているとともに、手袋装着者の手首の回転に対して動きの少ない部分、具体的には上腕部に近い箇所に、前記接触式センサ２３による測定水分データを演算処理する演算処理部（図示省略）及び演算処理された測定結果を表示する表示部２４ａを有する表示器（表示手段）２４が離脱可能に装着され、かつ、この表示器２４と前記接触式センサ２３との間には、前記接触式センサ２３による測定水分データを表示器２４に送信するデータ送信手段として可撓性の配線２５が配設されている。
【００３６】
このように構成された第１実施例の計測システムＳ１においては、診察者あるいは被験者が自分自身の効き手に手袋２２を装着する一方、上腕部に近い箇所に表示器２４を装着し、かつ、接触式センサ２３が取り付けられている手袋２２の指先部２２ａのみを立てた状態で、その指先部２２ａを被験者の口腔内に差し入れて接触式センサ２３を指先の感覚で上顎部などの測定部位に適正圧力、適正角度に押し当てることにより、その測定部位の水分を精度よく測定することができる。
【００３７】
そして、接触式センサ２３により測定された水分データは配線２５を経て表示器２４に送信され、受信した水分データの演算処理により求められた水分率が表示部２４ａに表示されるので、診察者あるいは被験者は接触式センサ２３を被験者の測定部位に押し当てて所定の水分測定を継続する態勢のままで、上腕部に近い箇所に装着されている表示器２４に表示された測定結果、すなわち、水分率を即座に読み取って把握することが可能であり、したがって、所定の診断を効率よく行なうことができる。
【００３８】
なお、第１実施例の計測システムＳ１に用いる接触式センサ２３としては、図１または図４で示したように、絶縁性基板１，１’の表裏両面に静電容量センサ用電極２と測定増幅回路３とを形成して全体が薄く小型化されたセンサＡまたはＢを用いることが望ましいが、これ以外に積層構造のセンサを用いてもよい。
【００３９】
また、第１実施例の計測システムＳ１として、図７に示したような構成の口腔内水分計Ｃを手袋２２の所定位置に貼付ける、あるいは、手袋２２の製造時に作り込んでもよい。
【００４０】
図１１は第３発明の接触式センサ実装の計測システムの第２実施例としての口腔内水分計測システムＳ２の側面図であり、この口腔内水分計測システムＳ２は、診察者あるいは被験者が装着する手袋２２の指先部（図面上では人差し指で示すが、中指であってもよい）２２ａの先端の外面（背腹面）に生理医学的パラメータの一つである口腔内水分を測定する接触式センサ２３が接着等により手袋２２から外れないように取り付けられているとともに、測定水分データを演算処理する演算処理部（図示省略）及び演算処理された測定結果を表示する表示部２４ａを有する表示器（表示手段）２４’を手袋２２とは完全に隔離して例えば診察机上等に据置可能な卓上型に構成し、この卓上型表示器２４’と接触式センサ２３との間に亘るデータ送信手段として、手袋２２側に受電・送信アンテナ付きＩＣタグ２６を、また、表示器２４側に受信・給電アンテナ付きＩＣタグ２７を取り付けて送受電及び測定水分データの送受信を無線式に行えるように構成したものである。
【００４１】
このように構成された第２実施例の計測システムＳ２の場合は、第１実施例の計測システムＳ１に比べて、センシング装置（手袋２２及び接触式センサ２３からなる）がコンパクトかつ軽量となり、診断者あるいは被験者の使用時の操作負担を軽減できるとともに、システム全体としてのコストダウンを見込むことができる。
【００４２】
図１２は第３発明の接触式センサ実装の計測システムの第３実施例としての口腔内水分計測システムＳ３の要部の側面図であり、この計測システムＳ３では、手袋２２の指先部（人差し指、中指のいずれであってもよい）２２ａに被冠装着可能なサック状薄膜部材２８を用いるもので、同図の（ａ）に示すように、このサック状薄膜部材２８の先端の外面に受電・送信アンテナを一体に組み込んだ接触式センサ２３を取り付ける、または、同図の（ｂ）に示すように、サック状薄膜部材２８の先端の外面に接触式センサ２３を取り付けるとともに、この接触式センサ２３からリード線２９を延ばしてサック状薄膜部材２８の基端寄り箇所に受電・送信アンテナ付きＩＣタグ３０を取り付けて既述した卓上型表示器２４と接触式センサ２３との間に亘る送受電及び測定水分データの送受信を無線式に行えるように構成したものである。
【００４３】
また、サック状薄膜部材２８の基端開口部の周辺には、手袋２２の指先部２２ａへの被冠装着状態での使用時に該薄膜部材２８が手袋２２の指先部２２ａからの不測に抜けて脱落しないようにするための脱落防止リング３１が組込まれており、これによって、例えば口腔内の水分測定時等にサック状薄膜部材２８が手袋２２から脱落し、それを被験者が呑み込むなどの不測事態の発生を防止するようにしている。
【００４４】
なお、脱落防止リング３１に代えて、バンドやクリップ、マジックテープ等を用いてサック状薄膜部材２８を手袋２２の指先部２２ａにしっかりと止め付けて使用するようにしてもよい。
【００４５】
このように接触式センサ２３を取り付けたサック状薄膜部材２８を手袋２２の指先部２２ａに被冠装着して測定使用可能とした第３実施例の計測システムの場合は、通常から診断用として保有している手袋をそのまま使用して所定の測定が行えるだけでなく、感染症予防等にとって有利な使い捨て使用に際して、サック状薄膜部材２８のみを交換すればよいので、大勢の被験者を次々と診断する医師等の診察者側の消費に伴うランニングコストを可及的に低減することが可能である。
【００４６】
なお、上記各実施例に示した計測システムは、口腔内の水分測定に適用したもので説明したが、ｐＨ測定やＣａ2+、ＰＯ43-  等の各種イオン濃度測定など種々の生理医学的パラメータの計測システムにも適用可能である。
【図面の簡単な説明】
【００４７】
【図１】第１，２発明の接触式センサの第１実施例として、口腔内水分計に使用される水分測定用センサの断面構造図である。
【図２】（ａ）〜（ｆ）は第１実施例の水分測定用センサの製作プロセスを示す断面図である。
【図３】測定増幅回路の構成図で、（ａ）は自励式発振回路の例、（ｂ）は他励式測定回路の例である。
【図４】第１，２発明の接触式センサの第２実施例として、口腔内水分計に使用される水分測定用センサの断面構造図である。
【図５】（ａ）〜（ｅ）は第２実施例の水分測定用センサの製作プロセスを示す断面図である。
【図６】第２実施例の水分測定用センサの適用製品の一例である口腔内水分計の全体側面図である。
【図７】第２実施例の水分測定用センサの適用製品の他の例である口腔内水分計の全体平面図である。
【図８】図７に示す口腔内水分計の全体側面図である。
【図９】第３発明の接触式センサ実装の計測システムの第１実施例としての口腔内水分計測システムの側面図である。
【図１０】第１実施例の口腔内水分計測システムの平面図である。
【図１１】第３発明の接触式センサ実装の計測システムの第２実施例としての口腔内水分計測システムの側面図である。
【図１２】（ａ），（ｂ）共に第３発明の接触式センサ実装の計測システムの第３実施例としての口腔内水分計測システムの要部の側面図である。
【符号の説明】
【００４８】
１  シリコンウエハ（絶縁性基板の一例）
１’  高絶縁プラスチックフィルム（絶縁性基板の他の例）
１ａ，１ａ’  一方の面
１ｂ，１ｂ’  他方の面
２  静電容量センサ用電極
３  測定増幅回路
５  アルミ配線（導電部材の一例）
５’  導電部材
７  プリント基板
８  絶縁樹脂材料
１６  測定装置本体回路部
２２  手袋
２２ａ  指先部
２３  接触式センサ
２４，２４’  表示器（表示手段）
２５  配線（データ送信手段の一例）
２６  受電・送信アンテナ付きＩＣタグ（データ送信手段の一方の要素）
２７  受信・送電アンテナ付きＩＣタグ（データ送信手段の他方の要素）
２８  サック状薄膜部材
Ａ，Ｂ  水分測定用センサ
Ｃ  口腔内水分計
Ｓ１〜Ｓ３  接触式センサ実装の計測システム
【図１】
2005287547.tif 000003
【図２】
2005287547.tif 000004
【図３】
2005287547.tif 000005
【図４】
2005287547.tif 000006
【図５】
2005287547.tif 000007
【図６】
2005287547.tif 000008
【図７】
2005287547.tif 000009
【図８】
2005287547.tif 000010
【図９】
2005287547.tif 000011
【図１０】
2005287547.tif 000012
【図１１】
2005287547.tif 000013
【図１２】
2005287547.tif 000014